(57)【要約】【課題】加温商品と冷却商品を販売する自動販売機におけるピークシフト運転とピークカット運転において、ピークカット運転に効果のある冷却運転の効率を向上させるために、圧縮機にかかる負荷を抑えることと、ピークカット運転中においても加温商品の販売機機会を増やすことができる自動販売機の制御装置を提供する。【解決手段】ピークシフト運転中およびピークカット運転中において、ヒータのオン／オフ温度を通常のオン／オフ温度であるＴｈｏｎ０／Ｔｈｏｆｆ０よりも例えば２℃低いＴｈｏｎ１／Ｔｈｏｆｆ１と決定し、ヒータを駆動または停止させる。【選択図】図５
2015230639.tif 000002
【特許請求の範囲】
【請求項１】
商品収納庫に収納された商品を冷凍機により冷却またはヒータにより加温し、電力需要のピークの時間帯に前記冷凍機または前記ヒータの運転率を下げて消費電力を低減するためのピークカット運転を行い、ピークカット運転に先立ち冷却商品を過冷却するためのピークシフト運転を行う自動販売機の制御装置であって、ピークシフト運転時に、前記冷凍機の制御温度と前記ヒータの制御温度を通常よりも低く設定し、ピークカット運転時に、前記冷凍機の運転を停止し、前記ヒータの制御温度を通常よりも低く設定し、ピークカット運転解除後に、前記冷凍機と前記ヒータの制御温度を通常の設定温度に戻すことを特徴とする自動販売機の制御装置。
【請求項２】
商品収納庫に収納された商品を冷凍機により冷却またはヒータにより加温し、電力需要のピークの時間帯に前記冷凍機または前記ヒータの運転率を下げて消費電力を低減するためのピークカット運転を行い、ピークカット運転に先立ち冷却商品を過冷却するためのピークシフト運転を行う自動販売機の制御装置であって、ピークシフト運転時に、冷却設定庫内ファンの回転数を通常よりも高く設定し、加温設定庫内ファンの回転数を通常よりも低く設定し、ピークカット運転時に、前記冷却設定庫内ファンの回転数を零に設定し、前記加温設定庫内ファンの回転数を通常よりも低く設定し、ピークカット運転解除後に、前記冷却設定庫内ファンと前記加温設定庫内ファンの回転数を通常の回転数に戻すことを特徴とする自動販売機の制御装置。
【請求項３】
加温商品の販売本数が少ないとき、ピークシフト運転時、ピークカット運転時そしてピークカット解除後の前記ヒータの制御温度または前記加温設定庫内ファンの回転数を、加温商品の販売本数が多いときよりも低く設定することを特徴とする請求項１または請求項２に記載の自動販売機の制御装置。
【発明の詳細な説明】
【技術分野】
【０００１】
本発明は、ピークシフトおよびピークカットの運転を行う自動販売機の制御装置に関するものである。
【背景技術】
【０００２】
従来、この種の自動販売機では、一日のうちで電力需要が集中する特定時間帯に、冷凍機またはヒータを、タイマ制御により強制的にオフして、消費電力をカットすること（ピークカット運転）が行われている。
【０００３】
また、ピークカット運転に先立ち、冷凍機またはヒータのオン／オフの設定温度を、通常の設定温度からシフトして、過冷却または過加熱を行うことにより、以後のピークカット運転に備えて蓄冷および蓄熱すること（ピークシフト運転）が行われている。
【０００４】
図７のように、ピークシフト運転時において、冷凍機のオン／オフの設定温度を、通常の設定温度よりも低く設定し、ヒータのオン／オフの設定温度を、通常の設定温度よりも高く設定している。
【０００５】
ピークカット運転時に、庫内温度が上限温度を超えたことにより、それまでオフ状態にあった冷凍機をオンした後の設定温度を、庫内温度が上限になる設定温度よりも低く、かつ通常の設定温度よりも高く設定している。
【０００６】
また、ピークカット運転時に、庫内温度が下限温度を下回ったことにより、それまでオフ状態にあったヒータをオンした後の設定温度を、庫内温度が下限になる設定温度よりも高く、かつ通常の設定温度よりも低く設定している。
【先行技術文献】
【特許文献】
【０００７】
【特許文献１】特開平８−２３５４２５号公報
【発明の概要】
【発明が解決しようとする課題】
【０００８】
冷凍機とヒータのピークシフト運転を行うのは、外気温度が低い（例えば５℃）季節である。ピークシフト運転において、冷却商品温度は１℃程度まで過冷却されるので、ピークカット運転において、８時間程度の間、冷凍機を停止することができる。
【０００９】
一方、加温商品温度は５７℃程度まで過加熱されるが、外気温度との温度差が５２℃あるので、１時間程度しかヒータを停止することができない。よって、外気温度が低い季節においては、ヒータのピークカット運転は、冷凍機程、ピークカット効果が得られていないのが実態である。
【００１０】
ピークシフト運転において、過冷却および過加熱されているので、冷却商品と加温商品の温度差が通常運転（過冷却および過加熱を行わない運転）よりも大きくなり、加温庫内（加温商品を収納している庫内）から冷却庫内（冷却商品を収納している庫内）への伝熱量が増えて、冷凍機にかかる負荷が大きくなり、十分な過冷却を行うことが難しいといった問題がある。
【００１１】
また、ピークカット運転において、ヒータがピークカットされている１時間の間で、加
温商品温度が５０℃程度まで下がる。加温商品を販売できる下限温度は５２℃であり、再加熱が必要であるが、再加熱している間は加温商品を販売することが難しく、加温商品がよく売れる外気温度が低い季節において、加温商品の販売機会を失いかねないといった問題もある。
【００１２】
本発明は、上記の問題を解決するためになされたもので、ピークシフト運転における過冷却効果を大きくするとともに、ピークカット運転における加温商品の販売機会を増やすことを可能とした自動販売機の制御装置を提供することである。
【課題を解決するための手段】
【００１３】
上記目的を達成するために、本発明の自動販売機の制御装置は、ピークシフト運転において、ヒータのオン／オフ温度を通常のオン／オフ温度よりも低くし、ヒータを駆動または停止させることとしたのである。
【００１４】
そのため、例えば左庫内が加温設定、中庫内と右庫内が冷却設定の場合、左庫内（加温設定）と中庫内（冷却設定）の温度差を、従来よりも抑えることとなり、左庫内（加温設定）から中庫内（冷却設定）への伝熱量を減らすことができる。
【００１５】
ゆえに、冷凍機にかかる負荷を抑えつつ、過冷却効果を増やすことができる。
【００１６】
また、ピークカット運転において、ヒータのオン／オフ温度を通常のオン／オフ温度よりも低くし、ヒータを駆動または停止させることとしたのである。
【００１７】
そのため、常に加温商品温度を販売下限温度以上にすることとなり、従来よりも加温商品の販売機会を増やすことができる。
【発明の効果】
【００１８】
本発明は、加温庫内から冷却庫内への伝熱量を減らすことで、冷凍機にかかる負荷を抑えつつ、過冷却効果を増やすことができる。また、ピークカット運転において、ヒータのオン／オフ温度を通常のオン／オフ温度よりも低い値と決定し、ヒータを駆動または停止させることとしたので、一定時間ヒータを停止することと比べて、加温商品温度の低下を抑えることができ、加温商品の販売機会を増やすことができる。
【図面の簡単な説明】
【００１９】
【図１】本発明の実施の形態１における自動販売機の制御装置を備えた自動販売機本体の内部構造を示す概略構成図
【図２】同実施の形態の自動販売機の冷凍機の構成を示す概略図
【図３】同実施の形態の自動販売機の制御装置を示すブロック図
【図４】同実施の形態の自動販売機の制御装置の動作を示すフローチャート
【図５】同実施の形態の自動販売機の制御装置を備えた自動販売機のヒータによる加温運転の切り替えと、加温運転状態に応じて加温設定の庫内の温度が変化している様子と、冷凍機による冷却運転の切り替えと、冷却運転状態に応じて冷却設定の庫内の温度が変化している様子を示した説明図
【図６】本発明の実施の形態２における自動販売機の制御装置の動作を示すフローチャート
【図７】従来の自動販売機のヒータによる加温運転の切り替えと、加温運転状態に応じて加温設定の庫内の温度が変化している様子と、冷凍機による冷却運転の切り替えと、冷却運転状態に応じて冷却設定の庫内の温度が変化している様子を示した説明図
【発明を実施するための形態】
【００２０】
第１の発明は、商品収納庫に収納された商品を冷凍機により冷却またはヒータにより加温し、電力需要のピークの時間帯に前記冷凍機または前記ヒータの運転率を下げて消費電力を低減するためのピークカット運転を行い、ピークカット運転に先立ち冷却商品を過冷却するためのピークシフト運転を行う自動販売機の制御装置であって、ピークシフト運転時に、前記冷凍機の制御温度と前記ヒータの制御温度を通常よりも低く設定し、ピークカット運転時に、前記冷凍機の運転を停止し、前記ヒータの制御温度を通常よりも低く設定し、ピークカット運転解除後に、前記冷凍機と前記ヒータの制御温度を通常の設定温度に戻すことを特徴とする。
【００２１】
そのため、例えば左庫内が加温設定、中庫内と右庫内が冷却設定の場合、左庫内（加温設定）と中庫内（冷却設定）の温度差を従来よりも抑えることとなり、左庫内（加温設定）から中庫内（冷却設定）への伝熱量を減らすことができる。
【００２２】
ゆえに、冷凍機にかかる負荷を抑えつつ、過冷却効果を増やすことができる。
【００２３】
また、ピークカット運転において、ヒータのオン／オフ温度を通常のオン／オフ温度よりも低くし、ヒータを駆動または停止させることとしたのである。
【００２４】
そのため、一定時間ヒータを停止することと比べて、加温商品温度の低下を抑えることができ、加温商品の販売機会を増やすことができる。
【００２５】
第２の発明は、商品収納庫に収納された商品を冷凍機により冷却またはヒータにより加温し、電力需要のピークの時間帯に前記冷凍機または前記ヒータの運転率を下げて消費電力を低減するためのピークカット運転を行い、ピークカット運転に先立ち冷却商品を過冷却するためのピークシフト運転を行う自動販売機の制御装置であって、ピークシフト運転時に、冷却設定庫内ファンの回転数を通常よりも高く設定し、加温設定庫内ファンの回転数を通常よりも低く設定し、ピークカット運転時に、前記冷却設定庫内ファンの回転数を零に設定し、前記加温設定庫内ファンの回転数を通常よりも低く設定し、ピークカット運転解除後に、前記冷却設定庫内ファンと前記加温設定庫内ファンの回転数を通常の回転数に戻すことを特徴とする。
【００２６】
そのため、例えば左庫内が加温設定、中庫内と右庫内が冷却設定の場合、左庫内（加温設定）と中庫内（冷却設定）の温度差を従来よりも抑えることとなり、左庫内（加温設定）から中庫内（冷却設定）への伝熱量を減らすことができる。
【００２７】
ゆえに、冷凍機にかかる負荷を抑えつつ、過冷却効果を増やすことができる。
【００２８】
第３の発明は、第１または第２の発明において、加温商品の販売本数が少ないとき、ピークシフト運転時、ピークカット運転時そしてピークカット解除後の前記ヒータの制御温度または前記加温設定庫内ファンの回転数を、加温商品の販売本数が多いときよりも低く設定することを特徴とする。
【００２９】
そのため、販売本数が少ないときは、販売数が多いときよりも左庫内（加温設定）と中庫内（冷却設定）の温度差を従来よりも抑えることとなり、左庫内（加温設定）から中庫内（冷却設定）への伝熱量を減らすことができ、省エネルギー効果も期待できる。
【００３０】
以下、本発明の自動販売機の制御装置の実施の形態について説明するが、この実施の形態によって本発明が限定されるものではない。
【００３１】
（実施の形態１）
図１は本発明の実施の形態１における自動販売機の制御装置を備えた自動販売機本体の内部構造を示す概略構成図である。図２は同実施の形態の自動販売機の冷凍機の構成を示す概略図である。図３は同実施の形態の自動販売機の制御装置を示すブロック図である。図４は同実施の形態の自動販売機の制御装置の動作を示すフローチャートである。
【００３２】
図５は同実施の形態の自動販売機の制御装置を備えた自動販売機のヒータによる加温運転の切り替えと、加温運転状態に応じて加温設定の庫内の温度が変化している様子と、冷凍機による冷却運転の切り替えと、冷却運転状態に応じて冷却設定の庫内の温度が変化している様子を示した説明図である。
【００３３】
図１に示すように、本発明の実施の形態１における自動販売機２１は、断熱壁２２により外周を覆われて自動販売機２１の周囲（外気）から断熱されている。自動販売機２１内は、異なる区画（左庫内Ａ、中庫内Ｂ、右庫内Ｃ）に分割されており、それぞれに商品収納コラム（商品収納コラム２３Ａ、商品収納コラム２３Ｂ、商品収納コラム２３Ｃ）が取り付けれれている。
【００３４】
左庫内Ａと中庫内Ｂの間には、左庫内Ａと中庫内Ｂの間を断熱するための断熱バリヤー２２ＡＢが取付けられており、中庫内Ｂと右庫内Ｃの間には、中庫内Ｂと右庫内Ｃの間を断熱するための断熱バリヤー２２ＢＣが取付けられている。自動販売機２１のボトム側のスペースには、機械室２４が構成されており、冷凍機３１やコントローラ３２が収納されている。
【００３５】
商品収納コラム２３Ａ、商品収納コラム２３Ｂ、商品収納コラム２３Ｃには、商品収納コラム２３Ａ、商品収納コラム２３Ｂ、商品収納コラム２３Ｃ内の温度を検知するためのコラム内温度センサー３３Ａ、コラム内温度センサー３３Ｂ、コラム内温度センサー３３Ｃが、それぞれ取付けられている。自動販売機２１のボトム側には、自動販売機２１の周囲温度を検知するための外気温度センサー３３Ｄが取付けられている。
【００３６】
図２に示すように、左庫内Ａに対しては、左庫内Ａの空気を冷却するための蒸発器４１Ａ、左庫内Ａを加温するためのヒータ４６Ａ、左庫内Ａの空気を循環させるための庫内ファン４７Ａ、蒸発器４１Ａへの冷媒通路を開閉するための電磁弁４４Ａ、蒸発器４１Ａに流れる冷媒を減圧するためのキャピラリチューブ４５Ａが設けられる。
【００３７】
また、中庫内Ｂに対しては、中庫内Ｂの空気を冷却するための蒸発器４１Ｂ、中庫内Ｂを加温するためのヒータ４６Ｂ、中庫内Ｂの空気を循環させるための庫内ファン４７Ｂ、蒸発器４１Ｂへの冷媒通路を開閉するための電磁弁４４Ｂ、蒸発器４１Ｂに流れる冷媒を減圧するためのキャピラリチューブ４５Ｂが設けられる。
【００３８】
また、右庫内Ｃに対しては、右庫内Ｃの空気を冷却するための蒸発器４１Ｃ、右庫内Ｃの空気を循環させるための庫内ファン４７Ｃ、蒸発器４１Ｃへの冷媒通路を開閉するための電磁弁４４Ｃ、蒸発器４１Ｃに流れる冷媒を減圧するためのキャピラリチューブ４５Ｃが設けられる。
【００３９】
そして、機械室２４に対しては、冷媒蒸気を高温高圧に圧縮するための圧縮機４２、高温高圧の冷媒蒸気のエネルギーを放熱するための放熱器４３、放熱器４３に送風するための庫外ファン４８が設けられる。
【００４０】
まず、左庫内Ａ、中庫内Ｂ、右庫内Ｃの冷凍機３１による冷却について説明する。圧縮機４２で圧縮され、放熱器４３で凝縮して液状態になった冷媒が、電磁弁４４Ａ、４４Ｂ、４４Ｃの開閉状態により蒸発器４１Ａ、４１Ｂ、４１Ｃのいずれかに流れる。キャピラ
リチューブ４５Ａ、４５Ｂ、４５Ｃで減圧された液冷媒は、蒸発器４１Ａ、４１Ｂ、４１Ｃで蒸発できる状態になり、蒸発器４１Ａ、４１Ｂ、４１Ｃで蒸発することで、周囲から熱を奪い、蒸発器４１Ａ、４１Ｂ、４１Ｃの周囲空気は冷却される。
【００４１】
庫内ファン４７Ａ、４７Ｂ、４７Ｃにより蒸発器４１Ａ、４１Ｂ、４１Ｃで冷却された空気を左庫内Ａ、中庫内Ｂ、右庫内Ｃの中で循環させることで冷却する。蒸発器４１Ａ、４１Ｂ、４１Ｃで蒸発し蒸気となった冷媒は、圧縮機４２に吸い込まれ、圧縮されることで高温高圧の冷媒蒸気になり、放熱器４３に流れる。
【００４２】
放熱器４３においては、庫外ファン４８により放熱器４３の周囲空気と冷媒蒸気を熱交換させて冷媒蒸気のエネルギーを放熱することで、冷媒蒸気が凝縮し液冷媒に戻る。そして再び、液冷媒が蒸発器４１Ａ、４１Ｂ、４１Ｃで蒸発するといったサイクルを繰り返している。
【００４３】
また、左庫内Ａをヒータ４６Ａにより温する場合は、ヒータ４６Ａで加温された空気を庫内ファン４７Ａにより左庫内Ａ内で循環させている。また、中庫内Ｂをヒータ４６Ｂにより加温する場合は、ヒータ４６Ｂで加温された空気を庫内ファン４７Ｂにより中庫内Ｂ内に循環させている。
【００４４】
図３に示すように、本発明の実施の形態１における自動販売機の制御装置１００は、コラム内温度センサー３３Ａ、３３Ｂ、３３Ｃ、外気温度センサー３３Ｄの入力電圧が温度データに変換されて記憶される記憶部１０５と、販売ボタン５０のデータから販売数をカウントし記憶部１０５に記憶するための入力処理部１０１と、時刻やコラム内温度センサー３３Ａ、３３Ｂ、３３Ｃ、外気温度センサー３３Ｄそして販売ボタン５０のデータを記憶部１０５に記憶された判定条件と比較するための比較部１０２と、比較部１０２で比較した結果、ピークシフト運転、ピークカット運転もしくは通常運転かを決定する運転決定部１０３と、圧縮機４２、ヒータ４６Ａ、４６Ｂそして庫内ファン４７Ａ、４７Ｂ、４７Ｃに動作するための回転数や動作するか停止するかといった動作指令を送るための負荷駆動処理部１０４により構成されている。
【００４５】
図４は本発明の実施の形態１における動作を示すフローチャートである。
【００４６】
制御装置１００の運転決定部１０３は、現在時刻がピークシフト運転時刻である１０時であるかどうかを確認し（ＳＴＥＰ１）、１０時を経過していない場合（ＳＴＥＰ１：ＮＯ）、通常運転と決定して処理を終了する。
【００４７】
ＳＴＥＰ１で１０時を経過している場合（ＳＴＥＰ１：ＹＥＳ）、ピークシフト運転と決定する。ＳＴＥＰ１でピークシフト運転の場合、例えば、左庫内Ａが加温設定、中庫内Ｂと右庫内Ｃが冷却設定の場合、負荷駆動処理部１０４は、圧縮機４２のオン／オフ温度を通常のオン／オフ温度であるＴｃｏｎ０／Ｔｃｏｆｆ０よりも例えば２℃低いＴｃｏｎ１／Ｔｃｏｆｆ１と決定し、圧縮機４２を駆動または停止させる。
【００４８】
また、負荷駆動処理部１０４は、ヒータ４６Ａのオン／オフ温度を通常のオン／オフ温度であるＴｈｏｎ０／Ｔｈｏｆｆ０よりも例えば２℃低いＴｈｏｎ１／Ｔｈｏｆｆ１と決定し、ヒータ４６Ａを駆動または停止させる（ＳＴＥＰ２）。
【００４９】
制御装置１００の運転決定部１０３は、現在時刻がピークカット運転時刻である１３時であるかどうかを確認し（ＳＴＥＰ３）、１３時を経過していない場合（ＳＴＥＰ３：ＮＯ）、ＳＴＥＰ２の運転を継続する。
【００５０】
ＳＴＥＰ３で１３時を経過している場合（ＳＴＥＰ３：ＹＥＳ）、ピークカット運転と決定する。ＳＴＥＰ３でピークカット運転の場合、負荷駆動処理部１０４は、圧縮機４２の運転を停止させ、ヒータ４６Ａの運転はＳＴＥＰ２の状態を継続させる（ＳＴＥＰ４）。
【００５１】
制御装置１００の運転決定部１０３は、現在時刻がピークカット終了時刻である１６時であるかどうかを確認し（ＳＴＥＰ５）、１６時を経過していない場合（ＳＴＥＰ５：ＮＯ）、ＳＴＥＰ４の運転を継続する。
【００５２】
ＳＴＥＰ５で１６時を経過している場合（ＳＴＥＰ５：ＹＥＳ）、ピークカット運転終了と決定する。ＳＴＥＰ５でピークカット運転終了の場合、負荷駆動処理部１０４は、圧縮機４２の運転を再開し、通常のオン／オフ温度であるＴｃｏｎ０／Ｔｃｏｆｆ０で圧縮機４２を駆動または停止させる。
【００５３】
また、負荷駆動処理部１０４は、ヒータ４６Ａのオン／オフ温度を通常のオン／オフ温度であるＴｈｏｎ０／Ｔｈｏｆｆ０に戻し、ヒータ４６Ａを駆動または停止させ、通常運転に戻り、処理を終了する（ＳＴＥＰ６）。
【００５４】
以上のように、本実施の形態は、ピークシフト運転において、ヒータ４６Ａのオン／オフ温度を通常のオン／オフ温度であるＴｈｏｎ０／Ｔｈｏｆｆ０よりも例えば２℃低いＴｈｏｎ１／Ｔｈｏｆｆ１と決定し、ヒータ４６Ａを駆動または停止させることとしたので、例えば左庫内Ａが加温設定、中庫内Ｂと右庫内Ｃが冷却設定の場合、図５のように左庫内Ａ（加温設定）と中庫内Ｂ（冷却設定）の温度差を従来よりも抑えることとなり、左庫内Ａ（加温設定）から中庫内Ｂ（冷却設定）への伝熱量を減らすことができる。
【００５５】
結果、圧縮機４２の負荷を抑えつつ、過冷却効果を増やすことができる。また、ピークカット運転において、ヒータ４６Ａのオン／オフ温度を通常のオン／オフ温度であるＴｈｏｎ０／Ｔｈｏｆｆ０よりも例えば２℃低いＴｈｏｎ１／Ｔｈｏｆｆ１と決定し、ヒータ４６Ａを駆動または停止させることとしたので、一定時間ヒータ４６Ａを停止することと比べて、加温商品温度の低下を抑えることができ、加温商品の販売機会を増やすことができる。
【００５６】
なお、商品の販売本数に応じて、ヒータ４６Ａのオン／オフ温度を設定してもよい。例えば、加温商品の販売本数が少ないときは、加温商品の販売本数が多いときよりもヒータ４６Ａのオン／オフ温度を低く設定することで、より左庫内Ａ（加温設定）と中庫内Ｂ（冷却設定）の温度差を小さくすることとなり、左庫内Ａ（加温設定）から中庫内Ｂ（冷却設定）への伝熱量を減らすことができる。結果、圧縮機４２の負荷をさらに抑えながら過冷却することができる。
【００５７】
（実施の形態２）
図６は本発明の実施の形態２における自動販売機の制御装置の動作を示すフローチャートである。
【００５８】
制御装置１００の運転決定部１０３は、現在時刻がピークシフト運転時刻である１０時であるかどうかを確認し（ＳＴＥＰ１）、１０時を経過していない場合（ＳＴＥＰ１：ＮＯ）、通常運転と決定して処理を終了する。
【００５９】
ＳＴＥＰ１で１０時を経過している場合（ＳＴＥＰ１：ＹＥＳ）、ピークシフト運転と決定する。ＳＴＥＰ１でピークシフト運転の場合、負荷駆動処理部１０４は、例えば左庫内Ａが加温設定、中庫内Ｂと右庫内Ｃが冷却設定の場合、庫内ファン４７Ｂ、４７Ｃ（冷
却設定）の回転数を通常よりも例えば１０％多い値に決定し、庫内ファン４７Ｂ、４７Ｃ（冷却設定）を駆動または停止させる。
【００６０】
また、負荷駆動処理部１０４は、庫内ファン４７Ａ（加温設定）の回転数を通常よりも例えば１０％少ない値に決定し、庫内ファン４７Ａ（加温設定）を駆動または停止させる（ＳＴＥＰ７）。
【００６１】
制御装置１００の運転決定部１０３は、現在時刻がピークカット運転時刻である１３時であるかどうかを確認し（ＳＴＥＰ３）、１３時を経過していない場合（ＳＴＥＰ３：ＮＯ）、ＳＴＥＰ７の運転を継続する。
【００６２】
ＳＴＥＰ３で１３時を経過している場合（ＳＴＥＰ３：ＹＥＳ）、ピークカット運転と決定する。ＳＴＥＰ３でピークカット運転の場合、負荷駆動処理部１０４は、庫内ファン４７Ｂ、４７Ｃ（冷却設定）の運転を停止させ、庫内ファン４７Ａ（加温設定）の運転はＳＴＥＰ７の状態を継続させる（ＳＴＥＰ８）。
【００６３】
制御装置１００の運転決定部１０３は、現在時刻がピークカット終了時刻である１６時であるかどうかを確認し（ＳＴＥＰ５）、１６時を経過していない場合（ＳＴＥＰ５：ＮＯ）、ＳＴＥＰ８の運転を継続する。
【００６４】
ＳＴＥＰ５で１６時を経過している場合（ＳＴＥＰ５：ＹＥＳ）、ピークカット運転終了と決定する。ＳＴＥＰ５でピークカット運転終了の場合、負荷駆動処理部１０４は、庫内ファン４７Ｂ、４７Ｃ（冷却設定）の運転を再開し、通常の回転数で庫内ファン４７Ｂ、４７Ｃ（冷却設定）を駆動または停止させる。
【００６５】
また、負荷駆動処理部１０４は、庫内ファン４７Ａ（加温設定）の回転数も通常の回転数に戻し、庫内ファン４７Ａ（加温設定）を駆動または停止させ、通常運転に戻り、処理を終了する（ＳＴＥＰ９）。
【００６６】
以上のように、本実施の形態は、ピークシフト運転において、庫内ファン４７Ａ（加温設定）の回転数を通常よりも例えば１０％少ない値に決定し、庫内ファン４７Ａ（加温設定）を駆動または停止させることとしたので、左庫内Ａ（加温設定）をゾーンヒーティングになり、左庫内Ａ（加温設定）と中庫内Ｂ（冷却設定）の温度差を小さくすることとなり、左庫内Ａ（加温設定）から中庫内Ｂ（冷却設定）への伝熱量を減らすことができる。
【００６７】
結果、圧縮機４２の負荷を抑えながら過冷却することができる。また、ピークカット運転において、庫内ファン４７Ａ（加温設定）の回転数を通常よりも例えば１０％少ない値に決定し、庫内ファン４７Ａ（加温設定）を駆動または停止させることとしたので、庫内ファン４７Ａを停止することと比べて、加温商品温度の低下を抑えることができ、加温商品の販売機会を増やすことができる。
【００６８】
なお、商品の販売本数に応じて、庫内ファン４７Ａ（加温設定）の回転数を設定してもよい。例えば、加温商品の販売本数が少ないときは、加温商品の販売本数が多いときよりも庫内ファン４７Ａ（加温設定）の回転数を低く設定することで、左庫内Ａ（加温設定）がよりゾーンヒーティングとなり、左庫内Ａ（加温設定）と中庫内Ｂ（冷却設定）の温度差を小さくすることとなり、左庫内Ａ（加温設定）から中庫内Ｂ（冷却設定）への伝熱量を減らすことができる。結果、圧縮機４２の負荷をさらに抑えながら過冷却することができる。
【産業上の利用可能性】
【００６９】
以上のように、本発明にかかる自動販売機の制御装置は、ピークシフト運転やピークカット運転を行う場合において、冷凍機にかかる負荷を抑えて過冷却を行うことができるので、自動販売機に関わらず、ヒータで庫内を加温し冷凍機で庫内を冷却する貯蔵庫においても適用できる。
【符号の説明】
【００７０】
２１  自動販売機
２３Ａ、２３Ｂ、２３Ｃ  商品収納コラム
３１  冷凍機
３２  コントローラ
３３Ａ、３３Ｂ、３３Ｃ  コラム内温度センサー
４１Ａ、４１Ｂ、４１Ｃ  蒸発器
４２  圧縮機
４３  放熱器
４４Ａ、４４Ｂ、４４Ｃ  電磁弁
４５Ａ、４５Ｂ、４５Ｃ  キャピラリチューブ
４６Ａ、４６Ｂ  ヒータ
４７Ａ、４７Ｂ、４７Ｃ  庫内ファン
１００  制御装置
１０１  入力処理部
１０２  比較部
１０３  運転決定部
１０４  負荷駆動処理部
１０５  記憶部
【図１】
2015230639.tif 000003
【図２】
2015230639.tif 000004
【図３】
2015230639.tif 000005
【図４】
2015230639.tif 000006
【図５】
2015230639.tif 000007
【図６】
2015230639.tif 000008
【図７】
2015230639.tif 000009